(57)【要約】【課題】リモコン装置による操作精度を悪化させることなく、操作に関わる信頼性を維持する。【解決手段】受信装置２０の受信部２１が、リモコン装置１０から送信されたリモコンデータ信号を受信すると、受信状態判断部２２は、その受信したリモコンデータ信号の受信状態（受信レベル）が良好か否かを判断する。調光制御部２３は、受信状態判断部２２の判断結果に従って調光回路部２４の調光を制御する。すなわち、受信状態判断部２２によってリモコンデータ信号の受信状態が良好ではないと判断されたときには調光回路部２４を制御して調光モードを解除する。この場合、受信装置２０が調光モードで動作しているときにはその調光モードを解除して通常の非調光モードに移行し、また受信装置２０が非調光モードで動作しているときには、ユーザ操作による調光モードへの移行指示があったとしても調光モードへ移行できないように制御する。【選択図】図２
2006352394.tif 000002
【特許請求の範囲】
【請求項１】
リモコン装置と、該リモコン装置から送信されるリモコンデータ信号を受信して該リモコンデータ信号に従う動作を行う受信装置とにより構成され、該リモコン装置におけるリモコンデータ信号の受信状態を最適化するようにしたリモコン操作システムであって、前記受信装置は、表示装置を照明するランプの調光を行う調光回路を備えたリモコン操作システムにおいて、
前記受信装置は、前記リモコン装置から送信リモコンデータ信号を受信する受信部と、該受信部で受信したリモコンデータ信号の受信状態が良好か否かを判断する受信状態判断部と、該受信状態判断部の判断結果に従って、前記リモコンデータの受信状態が良好でなければ前記調光回路を制御して調光状態を変化させる調光制御部とを有することを特徴とするリモコン操作システム。
【請求項２】
請求項１に記載のリモコン操作システムにおいて、前記受信状態判断部は、前記受信部を駆動する駆動電流値の測定結果に基づいて前記受信状態を判断するか、あるいはリモコンデータ信号のエラー率の測定結果に基づいて前記受信状態を判断することを特徴とするリモコン操作システム。
【請求項３】
リモコン装置と、該リモコン装置から送信されるリモコンデータ信号を受信して該リモコンデータ信号に従う動作を行う受信装置とにより構成され、該リモコン装置におけるリモコンデータ信号の受信状態を最適化するようにしたリモコン操作システムであって、前記受信装置は、表示装置を照明するランプの調光を行う調光回路を備えたリモコン操作システムにおいて、
前記受信装置は、前記リモコン装置から送信されたリモコンデータ信号を受信する受信部と、該受信部でリモコンデータ信号が受信された際に、前記調光回路を制御して調光状態を変化させる調光制御部とを有することを特徴とするリモコン操作システム。
【請求項４】
請求項１ないし３のいずれか１に記載のリモコン操作システムにおいて、前記調光制御部は、前記調光状態を変化させる際に、前記調光回路を動作させないように制御することを特徴とするリモコン操作システム。
【請求項５】
請求項１ないし３のいずれか１に記載のリモコン操作システムにおいて、前記調光制御部は、前記調光状態を変化させる際に、前記ランプの輝度を段階的に高くするように前記調光回路を制御することを特徴とするリモコン操作システム。
【請求項６】
請求項１ないし５のいずれか１に記載のリモコン操作システムにおいて、前記調光制御部は、前記受信部で受信したリモコンデータ信号に基づいて前記調光回路を制御して調光状態を変化させた際に、該調光回路の制御を所定期間経過後に解除し、該制御の前の状態に復帰させることを特徴とするリモコン操作システム。
【請求項７】
リモコン装置と、該リモコン装置から送信されるリモコンデータ信号を受信して該リモコンデータ信号に従う動作を行う受信装置とにより構成され、該リモコン装置におけるリモコンデータ信号の受信状態を最適化するようにしたリモコン操作システムにおいて、
前記受信装置は、前記リモコン装置から送信リモコンデータ信号を受信するリモコンデータ受信部と、該リモコンデータ受信部で受信したリモコンデータ信号の受信状態が良好か否かを判断する受信状態判断部と、該受信状態判断部の判断結果を送信する送信部とを有し、
前記リモコン装置は、前記受信装置から送信された判断結果を受信する判断結果受信部と、該判断結果受信部で受信した前記判断結果に基づいて、送信するリモコンデータ信号の情報量を切り換える情報量切り換え制御部とを有することを特徴とするリモコン操作システム。
【請求項８】
請求項７に記載のリモコン操作システムにおいて、前記情報量切り換え制御部は、前記受信装置の前記受信状態判断部による判断結果に従って、前記リモコンデータ信号の受信状態が良好でなければ、前記リモコンデータ信号の情報量を増大させることを特徴とするリモコン操作システム。
【請求項９】
請求項８に記載のリモコン操作システムにおいて、前記情報量切り換え制御部は、前記リモコンデータ信号の情報量を増大または減少させる際に、該情報量の増大を段階的に行うように制御することを特徴とするリモコン操作システム。
【請求項１０】
請求項７ないし９のいずれか１に記載のリモコン操作システムにおいて、前記リモコン装置は、前記情報量切り換え制御部による情報量の切り換え制御を、自動的に行うかまたは手動操作に応じて行うかを設定可能であることを特徴とするリモコン操作システム。
【請求項１１】
請求項７ないし１０のいずれか１に記載のリモコン操作システムにおいて、前記情報量切り換え制御部は、前記受信部で受信したリモコンデータ信号に基づいて前記リモコンデータ信号の情報量の切り換えを行った際に、所定期間経過後に前記情報量の切り換え前の状態に復帰させることを特徴とするリモコン操作システム。
【請求項１２】
リモコン装置と、該リモコン装置から送信されるリモコンデータ信号を受信して該リモコンデータ信号に従う動作を行う受信装置とにより構成され、該リモコン装置におけるリモコンデータ信号の受信状態を最適化するようにしたリモコン操作システムにおいて、
前記受信装置は、前記リモコン装置から送信リモコンデータ信号を受信するリモコンデータ受信部と、該リモコンデータ受信部で受信したリモコンデータ信号の受信状態が良好か否かを判断する受信状態判断部と、前記リモコンデータ受信部を駆動して回動させるリモコンデータ受信部駆動手段とを有し、該リモコンデータ受信部駆動手段は、前記受信状態判断部による判断結果に基づいて、前記受信状態が良好となるように前記リモコンデータ受信部を自動的に回動させることを特徴とするリモコン操作システム。
【請求項１３】
請求項１２に記載のリモコン操作システムにおいて、前記リモコンデータ受信部は、赤外線によるリモコンデータを受光するための受光部を有し、前記リモコンデータ受信部駆動手段は、前記受光部の受光角度が変化するように前記リモコンデータ受信部を駆動することを特徴とするリモコン操作システム。
【発明の詳細な説明】
【技術分野】
【０００１】
本発明は、映像表示装置などの電化製品などを遠隔操作するためのリモコン装置を使用したリモコン操作システムに関し、より具体的には、受信機側におけるリモコンデータ信号の受信特性を最適化させるリモコン操作システムに関する。
【背景技術】
【０００２】
各種電化製品等において、リモコン装置を用いて遠隔操作を行うようにしたものが極めて一般的に用いられている。そしてリモコン装置の送信部から送信された、例えばリモコンコード等のデータ信号は、対象の受信装置である電化製品本体の受信部で受信され、そのデータ信号に応じた動作が実行される。
【０００３】
図９は、従来のリモコン装置の構成例を説明するためのブロック図である。リモコン装置（リモコンユニット）１０上には通常キー入力手段としてリモコンキー１が設けられている。そしてリモコン装置１０には、制御マイコン部２が設けられ、ここには、上記リモコンキー１が押されたことを検出するキー検出部３と、キー検出部３で検出されたキー情報に従って、どのようなリモコンデータを送信するかを演算する演算制御部４と、演算制御部４で演算された情報に従ってリモコンパルスを発生させるリモコンパルス発生部５が備えられている。さらにリモコン装置１０は、リモコンパルス発生部５で発生したリモコンパルスを電流増幅するＩＲ−ＬＥＤバッファ６と、ＩＲ−ＬＥＤバッファ６で電流増幅されたリモコンパルスを出力する赤外線出力ＬＥＤ（ＩＲ−ＬＥＤ）７とを有し、押されたリモコンキー１に応じたリモコンデータ信号が出力される。リモコンデータ信号は、受信装置２０で受信され、リモコンデータ信号に応じた動作が受信装置２０で実行される。
【０００４】
ＩＲ−ＬＥＤ７は、図示しないバッテリーから供給される電力で駆動し、この電力によってリモコンデータ信号が出力されるようになっている。このリモコンデータ信号の出力パワーに関しては、予め決められたリモコンデータ信号の到達距離（例えば、１０ｍ，１５ｍ等）に到達するような出力パワーに設定されている。またこのときに、リモコンデータのビットデータは、予め定められたビット数で送信されているのが通常である。
【０００５】
例えば特許文献１には、リモコン装置と受信側の距離に応じて、リモコン装置の発光量を可変にする手段を設けたワイヤレスリモコン装置が開示されている。ここでは、発光側でマニュアル操作によって発光量を可変設定可能な構成が開示されるとともに、発光側から赤外線を照射し、帰ってきた信号から装置間の距離を判断し、その距離に従って発光量を自動的に変更する構成が開示されている。
【特許文献１】特開平５−１３７１８２号公報
【発明の開示】
【発明が解決しようとする課題】
【０００６】
例えば、液晶パネルを使用した液晶表示装置を備えたシステム、例えば液晶テレビやパソコン等において通常リモコン装置を使用した操作が可能に構成されている。液晶パネルは、バックライトユニットを用いて背面から液晶パネルを照明する構成が通常採用されている。そして、バックライトユニットのランプの明るさを調光するための調光回路が使用されることが一般的である。
【０００７】
液晶バックライトとして用いられる蛍光灯のような冷陰極管における発光輝度は、液晶パネルを用いた機器が小型携帯型の電池駆動のものであればその電池寿命の点から、あるいは屋外での使用、屋内での使用あるいはその他の使用の態様に応じて液晶パネルにおける表示画面の見やすさ向上の点などから調整つまり調光することが必要な場合があり、液晶表示装置にはこのような調光を行うための調光回路が設けられている。
【０００８】
ここでリモコン装置を使用して上記のような液晶表示装置のリモコン操作を行う場合に、上記の調光回路が動作しているときにリモコン操作を行うと、その操作精度が悪化することが経験的にわかっている。つまり、調光回路によってリモコン装置の“効き”が悪くなるという問題がある。
【０００９】
図１０は、液晶表示装置に用いられるバックライト駆動用のインバータ回路の構成例を説明するための図で、上記のようなバックライトの調光を行う一つの方式として知られるパルス幅変調（ＰＷＭ）調光を行う回路構成を示すものである。また図１１は、図１０の調光コントロール信号Ｓ１及び発振回路からの出力信号Ｓ２の例を示す図である。
図１０において、１１はＰＷＭ調光回路部、１２は発振回路、１３はトランス、１４は蛍光ランプである。ＰＷＭ変調は、蛍光ランプ１４を周期的に点滅させる際に蛍光ランプ１４の点灯と消灯との時間比率を変化させて調光する方式であって、調光範囲が５〜９５％程度まで大きくとれるものとなっている。
【００１０】
電源がコイルＬ１を介してトランス１３の一次巻線ｎ１中点に投入されていて、ＰＷＭ調光回路部１１内の発振回路１２に入力される調光コントロール信号Ｓ１がローレベルで非調光モードであるときは、主にトランス１３の一次巻線ｎ１とこれに並列のコンデンサＣ３とで決まる周波数の電圧信号Ｓ３が帰還巻線ｎ２を介してトランジスタＱ１，Ｑ２のベースに与えられている。このとき、トランス１３の二次巻線ｎ３に負荷インピーダンスであるコンデンサＣ１を介して接続されている冷陰極管である蛍光ランプ１４はその二次巻線ｎ３に誘起される管電圧信号Ｓ４で駆動されている。このときＰＷＭ調光回路部１１内の発振回路１２はそれに与えられる調光コントロール信号Ｓ１がローレベルであるためにローレベルの出力信号Ｓ２を出力しており、そのためにトランジスタＱ３はオンしている。
【００１１】
次に時刻ｔ０（図１１）においてその発振回路１２に与えられる調光コントロール信号Ｓ１がハイレベルとなって調光モードになると、発振回路１２は周期的にハイレベルとローレベルを繰り返す出力信号Ｓ２を出力する。発振回路１２の出力信号Ｓ２がハイレベルである期間においてはトランジスタＱ３はオフし、このトランジスタＱ３がオフである期間は、トランジスタＱ１，Ｑ２のベースにはベース電流がなくなるので、トランジスタＱ１，Ｑ２はオフしてトランス１３の二次巻線ｎ３には管電圧信号Ｓ４が発生しなくなり、結果として蛍光ランプ１４は点灯停止する。したがって調光コントロール信号Ｓ１がハイレベルとローレベルを繰り返す調光モードの期間においては、蛍光ランプ１４は点灯と消灯とを繰り返すことになり、蛍光ランプ１４の発光輝度は全体として低下する方向に調光される。
【００１２】
上記のような調光回路を備える液晶表示装置において調光回路が動作しているときに、リモコン装置を操作する場合に、その操作精度が悪化することがわかっている。その要因としては、調光回路が動作して調光モードに移行すると発振回路１２が動作し、その発振信号の立ち上がりや立ち下がり時にノイズが立って、このノイズがリモコン装置から送信されたリモコン信号に対するノイズとなることにより、リモコン操作の精度が悪化するものと考えられている。
【００１３】
すなわち、調光回路を備えたインバータ回路によりバックライトを制御する液晶表示装置においては、その調光回路の調光動作によって、リモコン装置の操作精度が悪化するといえる。この場合にリモコン装置の操作精度が悪化して“リモコンの効き”が悪くなると、ユーザは、液晶表示装置に近づいてリモコン操作を行なう必要があった。
【００１４】
また、上記のようにリモコン装置からのリモコンデータ信号の出力パワーは、予め決められたリモコンデータ信号の到達距離に到達するパワーに固定されている。またこのときに、リモコンデータのビットデータは、予め定められたビット数で送信されている。
このような場合に、液晶表示装置等の受信装置とリモコン装置との距離が長く、“リモコンの効き”が悪い場合には、同様にユーザは、受信装置に近づいてリモコン操作を行なう必要があった。また、受信装置に対するリモコンデータ信号の送信角度によってもリモコンデータ信号の到達距離が変わり、ユーザは受信装置に対するリモコンデータの送信角度を変えたり、上記のように受信装置自体に近づいて操作する必要があった。
【００１５】
一方上記特許文献１のマニュアル調整のように、リモコン装置の発光量をマニュアルで可変設定する場合は設定した発光量が最適かどうかを容易に判別し難い、という問題が生じる。ここでは最も発光量が小さくかつ、受光側で確実にデータを受信できる発光量（出力パワー）とすることが最も合理的であるが、マニュアルによる可変設定ではその最も適切な発光量を判別できる手段がないために、ユーザの勘に頼ったり、最適ではない出力パワーに設定してしまったりして、消費電力が過多になるという問題も生じる。
【００１６】
また上記特許文献１の自動調整のように、赤外線を照射して帰ってきた反射信号に従って自動的にリモコンデータの出力パワーを設定する場合は、受信側の装置が小型であったり、受信側の装置の周囲の状況が反射波をうまく形成しなかったりする状況下では、リモコン装置にて反射波をうまく検出できない等の問題が生じる。
【００１７】
本発明は、上述のごとき実情に鑑みてなされたもので、リモコン操作時に調光動作を切り換えること、もしくは受信装置の受信状態に応じてリモコン信号の情報量を切り換えること、もしくはリモコン信号の受信部を回動させることにより、リモコン装置による操作精度を悪化させることなく、操作に関わる信頼性を維持することができるようにしたリモコン操作システムを提供することを目的とするものである。
【課題を解決するための手段】
【００１８】
上記課題を解決するために、本発明の第１の技術手段は、リモコン装置と、リモコン装置から送信されるリモコンデータ信号を受信してリモコンデータ信号に従う動作を行う受信装置とにより構成され、リモコン装置におけるリモコンデータ信号の受信状態を最適化するようにしたリモコン操作システムであって、受信装置は、表示装置を照明するランプの調光を行う調光回路を備えたリモコン操作システムにおいて、受信装置は、リモコン装置から送信リモコンデータ信号を受信する受信部と、受信部で受信したリモコンデータ信号の受信状態が良好か否かを判断する受信状態判断部と、受信状態判断部の判断結果に従って、リモコンデータの受信状態が良好でなければ前記調光回路を制御して調光状態を変化させる調光制御部とを有することを特徴としたものである。
【００１９】
第２の技術手段は、第１の技術手段において、受信状態判断部が、受信部を駆動する駆動電流値の測定結果に基づいて受信状態を判断するか、あるいはリモコンデータ信号のエラー率の測定結果に基づいて受信状態を判断することを特徴としたものである。
【００２０】
第３の技術手段は、リモコン装置と、リモコン装置から送信されるリモコンデータ信号を受信してリモコンデータ信号に従う動作を行う受信装置とにより構成され、リモコン装置におけるリモコンデータ信号の受信状態を最適化するようにしたリモコン操作システムであって、受信装置は、表示装置を照明するランプの調光を行う調光回路を備えたリモコン操作システムにおいて、受信装置は、リモコン装置から送信されたリモコンデータ信号を受信する受信部と、受信部でリモコンデータ信号が受信された際に、調光回路を制御して調光状態を変化させる調光制御部とを有することを特徴としたものである。
【００２１】
第４の技術手段は、第１ないし第３のいずれか１の技術手段において、調光制御部が、調光状態を変化させる際に、調光回路を動作させないように制御することを特徴としたものである。
【００２２】
第５の技術手段は、第１ないし第３のいずれか１の技術手段において、調光制御部が、調光状態を変化させる際に、ランプの輝度を段階的に高くするように調光回路を制御することを特徴としたものである。
【００２３】
第６の技術手段は、第１ないし第５のいずれか１の技術手段において、調光制御部が、受信部で受信したリモコンデータ信号に基づいて調光回路を制御して調光状態を変化させた際に、調光回路の制御を所定期間経過後に解除し、制御の前の状態に復帰させることを特徴としたものである。
【００２４】
第７の技術手段は、リモコン装置と、リモコン装置から送信されるリモコンデータ信号を受信してリモコンデータ信号に従う動作を行う受信装置とにより構成され、リモコン装置におけるリモコンデータ信号の受信状態を最適化するようにしたリモコン操作システムにおいて、受信装置は、リモコン装置から送信リモコンデータ信号を受信するリモコンデータ受信部と、リモコンデータ受信部で受信したリモコンデータ信号の受信状態が良好か否かを判断する受信状態判断部と、受信状態判断部の判断結果を送信する送信部とを有し、リモコン装置は、受信装置から送信された判断結果を受信する判断結果受信部と、判断結果受信部で受信した判断結果に基づいて、送信するリモコンデータ信号の情報量を切り換える情報量切り換え制御部とを有することを特徴としたものである。
【００２５】
第８の技術手段は、第７の技術手段において、情報量切り換え制御部が、受信装置の受信状態判断部による判断結果に従って、リモコンデータ信号の受信状態が良好でなければ、リモコンデータ信号の情報量を増大させることを特徴としたものである。
【００２６】
第９の技術手段は、第８の技術手段において、情報量切り換え制御部が、リモコンデータ信号の情報量を増大または減少させる際に、情報量の増大を段階的に行うように制御することを特徴としたものである。
【００２７】
第１０の技術手段は、第７ないし第９のいずれか１の技術手段において、リモコン装置が、情報量切り換え制御部による情報量の切り換え制御を、自動的に行うかまたは手動操作に応じて行うかを設定可能であることを特徴としたものである。
【００２８】
第１１の技術手段は、第７ないし第１０のいずれか１の技術手段において、情報量切り換え制御部が、受信部で受信したリモコンデータ信号に基づいてリモコンデータ信号の情報量の切り換えを行った際に、所定期間経過後に情報量の切り換え前の状態に復帰させることを特徴としたものである。
【００２９】
第１２の技術手段は、リモコン装置と、リモコン装置から送信されるリモコンデータ信号を受信してリモコンデータ信号に従う動作を行う受信装置とにより構成され、リモコン装置におけるリモコンデータ信号の受信状態を最適化するようにしたリモコン操作システムにおいて、受信装置は、リモコン装置から送信リモコンデータ信号を受信するリモコンデータ受信部と、リモコンデータ受信部で受信したリモコンデータ信号の受信状態が良好か否かを判断する受信状態判断部と、リモコンデータ受信部を駆動して回動させるリモコンデータ受信部駆動手段とを有し、リモコンデータ受信部駆動手段は、受信状態判断部による判断結果に基づいて、受信状態が良好となるようにリモコンデータ受信部を自動的に回動させることを特徴としたものである。
【００３０】
第１３の技術手段は、第１２の技術手段において、リモコンデータ受信部は、赤外線によるリモコンデータを受光するための受光部を有し、リモコンデータ受信部駆動手段は、受光部の受光角度が変化するようにリモコンデータ受信部を駆動することを特徴としたものである。
【発明の効果】
【００３１】
本発明によれば、リモコン操作時に調光動作を切り換えること、もしくは受信装置の受信状態に応じてリモコン信号の情報量を切り換えること、もしくはリモコン信号の受信部を回動させることにより、リモコン装置による操作精度を悪化させることなく、操作に関わる信頼性を維持することができるようにしたリモコン操作システムを提供することができる。
【発明を実施するための最良の形態】
【００３２】
本発明のリモコン操作システムの一実施形態では、リモコンデータ信号を受信する受信装置において、リモコン装置から送信されたリモコンデータ信号の受信状態を判断して、その結果受信レベルが不十分であると判断したときに、調光モードが動作していればその調光モードを解除し、もしくは調光モードが動作していなければ調光モードへの移行を行わないように制御する。あるいは、受信レベルが不十分であると判断したときに、調光モードの調光状態を段階的に変化させ、非調光状態に段階的に近づくようにする。これにより、調光モードにおけるノイズの発生を防止することで、リモコン信号の受信特性の劣化を抑えるようにする。
【００３３】
また本発明のリモコン操作システムの他の実施形態では、リモコンデータを受信する受信装置において、リモコン装置から送信されたリモコンデータ信号の受信状態を判断し、その結果受信レベルが不十分であると判断したときに、リモコン装置に対して判断結果を送信する。そして受信装置からの判断結果を受信したリモコン装置は、その判断結果に従って送信するリモコンデータ信号の情報量（データ送信するために設定するビット数）を変更し、より情報量が多く精度の高い送信モードに移行する。
【００３４】
また本発明のリモコン操作システムの他の実施形態では、リモコンデータを受信する受信装置において、リモコン装置から送信されたリモコンデータ信号の受信状態を判断し、その結果受信レベル不十分であると判断したときに、リモコンデータの受信部（ここでは赤外線リモコン信号を受光する受光部）を駆動して回動させる。これにより、リモコンデータの受信感度が最良となるように受信部の位置（角度）を設定することができるようになる。
【００３５】
（実施形態１）
図１は、本発明のリモコン操作システムの第１の実施形態において使用されるリモコン装置の一例を説明するためのブロック図である。図１の構成は、図８で説明した従来の構成と同様である。すなわち、本実施形態では、リモコン装置１０は従来と同様のものを使用することができる。図１において、リモコン装置（リモコンユニット）１０上には、通常キー入力手段としてリモコンキー１が設けられている。そしてリモコン装置１０には、制御マイコン部２が設けられ、ここには上記リモコンキー１が押されたことを検出するキー検出部３と、キー検出部３で検出されたキー情報に従って、どのようなリモコンデータを送信するかを演算する演算制御部４と、演算制御部４で演算された情報に従ってリモコンパルスを発生させるリモコンパルス発生部５が備えられている。
【００３６】
さらにリモコン装置１０は、リモコンパルス発生部５で発生したリモコンパルスを電流増幅するＩＲ−ＬＥＤバッファ６と、ＩＲ−ＬＥＤバッファ６で電流増幅されたリモコンパルスを出力する赤外線出力ＬＥＤ（ＩＲ−ＬＥＤ）７とを有し、押されたリモコンキー１に応じたリモコンデータ信号が出力される。リモコンデータ信号は、受信装置２０で受信され、リモコンデータ信号に応じた動作が受信装置２０で実行される。
【００３７】
ＩＲ−ＬＥＤ７は、図示しないバッテリーから供給される電力で駆動し、この電力によってリモコンデータ信号が出力されるようになっている。このリモコンデータ信号の出力パワーに関しては、予め決められたリモコンデータ信号の到達距離（例えば、１０ｍ，１５ｍ等）に到達するような出力パワーに設定されている。ここではリモコンデータ信号は、実際の送信距離に関係なく一定の電力で出力されている。
【００３８】
図２は、本実施形態において使用される受信装置の概略構成図である。受信装置２０は、リモコン装置１０から送信されたリモコンデータ信号を受信する受信部２１と、受信部２１における受信結果に従って、受信状態が良好か否かを判断する受信状態判断部２２と、受信状態判断部２２における判断結果に従って調光モードを制御する調光制御部２３と、調光制御部２３の制御に従ってランプの調光を行う調光回路部２４とを有している。受信部２１は、例えば、赤外線によるリモコンデータ信号を受信するための受光ＬＥＤを有して構成されている。また上記受信状態判断部２２及び調光制御部２３は、所定のプログラムによって実現され、例えばＲＯＭ等のメモリの格納されたこれらの機能を実現するプログラムをＣＰＵが読み出して実行することで、上記受信状態の判断と調光モードの制御を行うことができる。
【００３９】
調光回路部２４は、例えば図９において上述したＰＷＭ調光回路部１１が該当し、ランプを周期的に点滅させる際にランプの点灯と消灯との時間比率を変化させて調光を行う。図２では、調光の対象となるランプやインバータ回路のトランス等はその図示を省略している。
【００４０】
受信装置２０の受信部２１が、リモコン装置１０から送信されたリモコンデータ信号を受信すると、受信状態判断部２２は、その受信したリモコンデータ信号の受信状態（受信レベル）が良好か否かを判断する。受信状態の判断は、例えば、受信部２１の受光ＬＥＤの駆動電流値を測定し、その測定結果に基づいて判断してもよく、あるいはビット数データであるリモコンデータ信号のエラー率を測定し、その測定結果に基づいて判断するようにしてもよい。またこのときに、受信装置２０が有する図示しない表示装置もしくは、受信装置２０に接続された外部の表示装置に、上記受信状態の判断結果を表示するようにしてもよい。
【００４１】
受信装置２０の調光制御部２３は、受信状態判断部２２の判断結果に従って調光回路部２４の調光を制御する。その制御の一例においては、受信状態判断部２２によってリモコンデータ信号の受信状態が良好ではないと判断されたときには、調光制御部２３は、調光回路部２４を制御して調光モードを解除する。この場合、受信装置２０が調光モードで動作しているときにはその調光モードを解除して通常の非調光モードに移行し、また受信装置２０が非調光モードで動作しているときには、ユーザ操作による調光モードへの移行指示があったとしても調光モードへ移行できないように制御する。
【００４２】
上記の調光モードの解除は予め定めた期間の一時的なものとし、その期間が経過した後に元の状態に復帰させるようにしてもよい。
また上記の構成において、受信状態判断部２２によってリモコンデータ信号の受信状態を判断することなく、リモコン装置１０から送信されたリモコンデータ信号を受信したときには、必ず調光モードを解除するようにしてもよい。この場合にも調光モードの解除は予め定めた期間の一時的なものとし、その期間が経過した後に元の状態に復帰させるようにすることができる。
【００４３】
また調光制御部２３の制御の他の例においては、受信状態判断部２２によってリモコンデータ信号の受信状態が良好ではないと判断されたときには、調光制御部２３は、調光回路部２４を制御して調光モードの調光状態を段階的に変化させる。ここでは、受信装置２０が調光モードで動作しているときには、その調光状態から非調光状態に向けて段階的に調光モードを変化させるようにする。例えば、図１０に示すようなパルス幅変調による調光を行っている場合、その発振パルスのデューティを８０％，５０％，３０％というように段階的に変化させて輝度を高くしていく。このとき、受信状態判断部２２におけるリモコンデータ信号の受信状態が良好となった時点で、調光状態の段階的な変化を停止すればよい。
【００４４】
この場合も、上記の調光モードの制御は予め定めた期間の一時的なものとし、その期間が経過した後に元の状態に復帰させるようにしてもよい。
また上記の構成において、受信状態判断部２２によってリモコンデータ信号の受信状態を判断することなく、リモコン装置１０から送信されたリモコンデータ信号を受信したときには、必ず調光モードを段階的に変化させるようにしてもよい。この場合にも調光モードの段階的な変化は予め定めた期間の一時的なものとし、その期間が経過した後に元の状態に復帰させるようにすることができる。
【００４５】
（実施形態２）
図３は、本発明のリモコン操作システムの第２の実施形態において使用されるリモコン装置の一例を説明するためのブロック図である。本実施形態のリモコン装置は、上記図１に示した第１の実施形態の構成加えて、受信装置２０側から送信された信号（この場合は、受信装置２０におけるリモコンデータ信号の受信状態を示す信号）を受信する受信部８と、受信部８で受信された信号を判別する受信信号判別部９を備えている。すなわち、本実施形態においては、リモコン装置１０は、受信装置２０を操作するためのリモコンデータ信号を送信するとともに、受信装置２０の受信状態を示す信号を受信する双方向リモコン装置として機能する。
【００４６】
上記第１の実施形態と同様に、リモコン装置（リモコンユニット）１０上には、通常キー入力手段としてリモコンキー１が設けられている。そしてリモコン装置１０には、制御マイコン部２が設けられ、ここには上記リモコンキー１が押されたことを検出するキー検出部３と、キー検出部３で検出されたキー情報に従って、どのようなリモコンデータを送信するかを演算する演算制御部４と、演算制御部４で演算された情報に従ってリモコンパルスを発生させるリモコンパルス発生部５が備えられている。
【００４７】
さらにリモコン装置１０は、リモコンパルス発生部５で発生したリモコンパルスを電流増幅するＩＲ−ＬＥＤバッファ６と、ＩＲ−ＬＥＤバッファ６で電流増幅されたリモコンパルスを出力する赤外線出力ＬＥＤ（ＩＲ−ＬＥＤ）７とを有し、押されたリモコンキー１に応じたリモコンデータ信号が出力される。リモコンデータ信号は、受信装置２０で受信され、リモコンデータ信号に応じた動作が受信装置２０で実行される。
【００４８】
ＩＲ−ＬＥＤ７は、図示しないバッテリーから供給される電力で駆動し、この電力によってリモコンデータ信号が出力されるようになっている。このリモコンデータ信号の出力パワーに関しては、予め決められたリモコンデータ信号の到達距離（例えば、１０ｍ，１５ｍ等）に到達するような出力パワーに設定されている。ここではリモコンデータ信号は、実際の送信距離に関係なく一定の電力で出力されている。
【００４９】
そして本実施形態では、上記のように、受信装置２０側から送信された信号を受信部８で受信することができる。受信部８で受信される信号は、受信装置２０から送信されたリモコンデータ信号の受信状態を示す信号であり、リモコン装置１０から送信したリモコンデータ信号の受信状態を受信装置２０において判別し、その判別結果を受信装置２０が送信したものである。
【００５０】
受信信号判別部９は受信部８で受信された信号を判別し、その判別結果を制御マイコン部２の演算制御部４に送る。演算制御部４は、上述のようにキー検出部３で検出された結果に従って、どのようなリモコンデータを送信するかどうか演算するが、さらに本実施形態では、リモコン装置１０から送信された受信状態の判別結果に応じて、リモコンデータのビット数を切り換える。ここでは本発明の情報量切り換え制御部は、図３の実施形態における演算制御部４が該当する。
【００５１】
図４は、本実施形態において使用される受信装置の概略構成図である。受信装置２０は、リモコン装置１０から送信されたリモコンデータ信号を受信する受信部２１と、受信部２１における受信結果に従って、受信状態が良好か否かを判断する受信状態判断部２２と、受信状態判断部２２における判断結果に関する情報をリモコン装置１０に送信する送信部２５とを有している。
なお上記受信状態判断部２２、あるいは図３に示した受信信号判別部９は、所定のプログラムによって実現され、例えばＲＯＭ等のメモリの格納されたプログラムをＣＰＵが読み出して実行することにより、これらの機能を実現することができる。
【００５２】
そして受信装置２０の受信部２１が、リモコン装置１０から送信されたリモコンデータ信号を受信すると、受信状態判断部２２は、その受信したリモコンデータ信号の受信状態（受信レベル）が良好か否かを判断する。受信状態の判断は、上記の実施形態１と同様に、例えば受信部２１の受光ＬＥＤの駆動電流値を測定し、その測定結果に基づいて判断してもよく、あるいはビット数データであるリモコンデータ信号のエラー率を測定し、その測定結果に基づいて判断するようにしてもよい。またこのときに、受信装置２０が有する図示しない表示装置もしくは、受信装置２０に接続された外部の表示装置に、上記受信状態の判断結果を表示するようにしてもよい。
【００５３】
受信状態判断部２２による判断結果は、送信部２５によって送信される。ここで送信された判断結果は、リモコン装置１０で受信され、リモコン装置１０において後述するリモコンデータ信号のビット数を切り換える処理を行う。
【００５４】
ビットデータからなるリモコンデータは、カスタムコードとデータコードとから構成され、カスタムコードは製造メーカ間、あるいはテレビ，ＶＴＲ，エアコンなどの機器相互間での誤動作を防止するために設定されるもので、受信装置のメーカ名や機種の判別が可能なデータが含まれている。またデータコードは、各リモコンキーが有する操作機能ごとに設定されるものである。カスタムコードによって、仮に複数のリモコン装置のデータコードが同一であっても、カスタムコードが異なるためにこれら複数のリモコンが相互干渉することを防ぐことができる。
【００５５】
上記のようなリモコンコード用のビットデータは、例えば、１５ｂｉｔ、あるいは４８ｂｉｔに設定され用いられている。４８ｂｉｔデータは、１５ｂｉｔデータに比して多く情報量を送信できるためエラーが生じにくいという利点を有している。例えば、カスタムコード（キーコード）の設定に余裕ができ、多くの種類のカスタムコードを設定することができる。また４８ｂｉｔデータは、ビットデータのヘッダ部分でカスタムコードを認識することができエラーが生じにくい。また１５ｂｉｔデータでは地域ごとに違うキーコードが送信されることがあるが、４８ｂｉｔデータでは全世界共通のキーコードが用いられているというメリットがある。また一方では、４８ｂｉｔデータは、データ送信時の消費電力が１５ｂｉｔデータより大きいことが考えられる。
【００５６】
本実施形態においては、リモコン装置１０において１５ｂｉｔデータでリモコンデータ信号を送信したとき、受信装置の２０の受信状態判断部２２によって判断された受信装置２０におけるリモコンデータ信号の受信状態が、受信装置２０からリモコン装置１０に送信される。リモコン装置２０では、受信した結果を受信信号判別部９で判別し、演算制御部４は、その判別結果に基づいて、受信装置２０における受信状態が不十分である場合には、リモコンパルス発生部５で発生せるリモコンパルスによるビットデータを、４８ｂｉｔデータに切り換える制御を行う。
【００５７】
すなわち、上記のように、１５ｂｉｔデータよりも４８ｂｉｔデータの方がエラーが少なく信頼性が高いため、１５ｂｉｔデータによってリモコンデータを送信しているときに、受信装置２０における受信状態が不十分である場合には、より信頼性の高い４８ｂｉｔデータに切り換えてリモコンデータの送信を行うようにする。
【００５８】
この場合、受信装置２０では、４８ｂｉｔデータと１５ｂｉｔデータの両方に対応可能とし、４８ｂｉｔデータに切り換えた後にも、１５ｂｉｔデータを受信可能なように準備しておく。
また上記の４８ｂｉｔデータへの移行は予め定めた期間の一時的なものとし、その期間が経過した後に元の状態に復帰させるようにしてもよい。
【００５９】
なお本実施形態では、上記のような２段階（１５ｂｉｔ，４８ｂｉｔ）の情報量の増大だけでなく、複数段階で多段階にあるいは情報量が漸増していくような形態で情報量を増大させるようにしてもよい。
またこのときに、リモコン装置１０の演算制御部４による情報量の切り換え制御を、自動的に行うか、またはユーザによる手動操作に応じて行うかの設定が可能となるように構成してもよい。ユーザ設定により自動制御モードであるときには、上記演算制御部４による情報量の増大を自動的に実行し、手動制御モードであるときには、情報量の増大は所定のユーザ操作に応じて実行するように制御する。
【００６０】
図５〜図７は、１５ｂｉｔデータと４８ｂｉｔデータの到達距離、すなわちリモコン装置２０から送信されたデータが受信装置２０で有効に受信できる最長距離の測定例を示す図で、各図（Ａ）は調光を３段階（明るい、標準、暗い）に切り換えて、各調光状態で１５ｂｉｔデータと４８ｂｉｔデータとを送信したときの到達距離（ｍ）の測定値を示す図で、各図（Ｂ）は、受信装置２０に対するリモコン信号Ｓの送信方向を示す図である。ここでは受信装置２０が備える表示装置２６に受信部２１が設けられているものとし、図５はリモコン信号Ｓが表示装置２６の正面から送信され、図６及び図７は表示装置２６に対してそれぞれ左右に３０°の角度でリモコン信号Ｓが送信されるものとする。なお、各図（Ａ）における受光部は、それぞれ異なる仕様の受光部を用いたもので、ここでは受光部Ａには導電プラモールド；３．３Ｖタイプの受光部を用い、受光部Ｂには金属シールドケース付き；３．３Ｖタイプの受光部を用いた。
【００６１】
図５〜図７に示すように、いずれの場合にも、調光状態が“明るい”とき（すなわち調光モードが動作せずにバックライトの明るい状態が継続しているとき）には、リモコンデータ信号の到達距離が最も長く、調光モードが動作して“標準”から更に“暗い”になると徐々に到達距離が短くなる、という傾向がみられる。すなわち、これらの結果から、調光が行われて調光回路から発振信号が出力されるときに、リモコンデータ信号の到達距離が短くなることがわかる。すなわちリモコン装置１０と受信装置２０との距離が一定である場合、調光を行うことによりリモコンデータ信号の受信状態が悪化するといえる。
【００６２】
また、１５ｂｉｔデータと４８ｂｉｔデータとを比較すると、いずれの場合も、１５ｂｉｔデータよりも４８ｂｉｔデータの方が到達距離が長いことがわかる。この現象は、受信装置２０に対するリモコンデータ信号の送信角度が異なっても、またこのときの調光状態が異なっても、さらに受光部の仕様が異なっても同様の測定結果が得られている。すなわち、これらの結果から、リモコン装置１０と受信装置２０との距離が一定である場合、４８ｂｉデータの方が、すなわち情報量の多いデータの方がリモコンデータの受信状態が良好であるといえる。
【００６３】
（実施形態３）
図８は、本発明のリモコン操作システムの第３の実施形態において使用される受信装置の一例を説明するためのブロック図である。
本例のリモコン装置１０は、リモコンデータ信号を受信する受信部２１の角度を、受信状態判断部２２による受信状態の判断結果に従って回動駆動させることにより、最適な受信部２１の角度でリモコンデータ信号を受信できるようにしたものである。
【００６４】
すなわち本実施形態の受信装置２０は、リモコン装置１０から送信されたリモコンデータ信号を受信する受信部２１と、受信部２１における受信結果に従って、受信状態が良好か否かを判断する受信状態判断部２２と、受信状態判断部２２における判断結果に基づいてモータドライバ２８を制御する制御部（マイコン）２７と、モータドライバ２８の制御に従って駆動する駆動モータ２９と、受信部２１を回動可能に構成する回動部３０とを備えており、駆動モータ２９の回転によって受信部２１が回動するようになっている。
【００６５】
そして受信装置２０の受信部２１が、リモコン装置１０から送信されたリモコンデータ信号を受信すると、受信状態判断部２２は、その受信したリモコンデータ信号の受信状態（受信レベル）が良好か否かを判断する。受信状態の判断は、上記の実施形態１と同様に、例えば受信部２１の受光ＬＥＤの駆動電流値を測定し、その測定結果に基づいて判断してもよく、あるいはビット数データであるリモコンデータ信号のエラー率を測定し、その測定結果に基づいて判断するようにしてもよい。またこのときに、受信装置２０が有する図示しない表示装置もしくは、受信装置２０に接続された外部の表示装置に、上記受信状態の判断結果を表示するようにしてもよい。
【００６６】
制御部２７は、受信状態判断部２２による判断結果に基づいて、リモコンデータ信号の受信状態が良好でない場合には、モータドライバ２８を制御して駆動モータ２９を駆動させる。これにより、受信部２１を回動可能に支持する回動部３０が回動し、受信部の角度が変化する。このときに受信状態判断部２２によって受信状態が良好となった位置（角度）で、受信部２１の回動を停止すればよい。
もしくは、受信部２１の回動が可能なストロークの全範囲を、まず一端から他端まで回動させ、その範囲の中で受信状態判断部２２による受信状態の判断結果が最良の位置（角度）で、受信部２１を設定するようにしてもよい。
【００６７】
ここでは受信部２１は、上記のように受光ＬＥＤによる受光部を備えており、上記回動部３０の回動により受光部の受光角度が変化すればよい。
また上記の構成において、受信状態判断部２２による受信状態の判断結果が良好であるか否にかかわらず、回動部３０の回動による受信角度の最良な位置を設定するようにしてもよい。
【００６８】
本実施形態の構成は、受信部２１の向きを回動させることにより、受信部２１の受信感度を高くすることができ、これによりリモコン信号に対するノイズの影響を小さくすることができる。例えば、リモコン送信機から送信されるリモコン信号が、上記受光部に対して角度をもって斜め方向から入る場合などには、本実施形態の構成が有効である。
【００６９】
以上のように、本発明の実施形態により、リモコン操作時に調光動作を切り換えること、もしくは受信装置の受信状態に応じてリモコン信号の情報量を切り換えることにより、もしくはリモコン信号の受信部を回動させることにより、リモコン装置１０による操作精度を悪化させることなく、操作に関わる信頼性を維持することができるようになる。
【図面の簡単な説明】
【００７０】
【図１】本発明のリモコン操作システムの第１の実施形態において使用されるリモコン装置の一例を説明するためのブロック図である。
【図２】第１の実施形態において使用される受信装置の概略構成図である。
【図３】本発明のリモコン操作システムの第２の実施形態において使用されるリモコン装置の一例を説明するためのブロック図である。
【図４】第２の実施形態において使用される受信装置の概略構成図である。
【図５】１５ｂｉｔデータと４８ｂｉｔデータの到達距離、すなわちリモコン装置から送信されたデータが受信装置で有効に受信できる最長距離の測定例を示す図である。
【図６】１５ｂｉｔデータと４８ｂｉｔデータの到達距離、すなわちリモコン装置から送信されたデータが受信装置で有効に受信できる最長距離の測定例を示す他の図である。
【図７】１５ｂｉｔデータと４８ｂｉｔデータの到達距離、すなわちリモコン装置から送信されたデータが受信装置で有効に受信できる最長距離の測定例を示す更に他の図である。
【図８】本発明のリモコン操作システムの第３の実施形態において使用される受信装置の一例を説明するためのブロック図である。
【図９】従来のリモコン装置の構成例を説明するためのブロック図である。
【図１０】液晶表示装置に用いられるバックライト駆動用のインバータ回路の構成例を説明するための図である。
【図１１】図１０の調光コントロール信号Ｓ１及び発振回路からの出力信号Ｓ２の例を示す図である。
【符号の説明】
【００７１】
１…リモコンキー、２…制御マイコン部、３…キー検出部、４…演算制御部、５…リモコンパルス発生部、６…ＩＲ−ＬＥＤバッファ、７…ＩＲ−ＬＥＤ、８…受信部、９…受信信号判別部、１０…リモコン装置、１１…ＰＷＭ調光回路部、１２…発振回路、１３…トランス、１４…蛍光ランプ、２０…受信装置、２１…受信部、２２…受信状態判断部、２３…調光制御部、２４…調光回路部、２５…送信部、２６…表示装置、２７…制御部、２８…モータドライバ、２９…駆動モータ、３０…回動部。
【図１】
2006352394.tif 000003
【図２】
2006352394.tif 000004
【図３】
2006352394.tif 000005
【図４】
2006352394.tif 000006
【図５】
2006352394.tif 000007
【図６】
2006352394.tif 000008
【図７】
2006352394.tif 000009
【図８】
2006352394.tif 000010
【図９】
2006352394.tif 000011
【図１０】
2006352394.tif 000012
【図１１】
2006352394.tif 000013